(57)【要約】【課題】締結完了後にナットの上面に突設した環状部を被締結部に設けた溝部に正確に屈曲結合させ、完全な緩み止めが得られるナットの締結方法を提供すること。【解決手段】ナット４の上面にボルト体１のねじ部１ａとほぼ同径で肉薄状の環状部４１を上方に向かって突設する一方、ボルト体１のねじ部１ａ側端部に半径方向に延びるプラス状の溝部１ｂを設け、締結完了時に溝部１ｂを利用して屈曲結合治具６を位置決めさせ、この治具６を基準とした方向性をもって、ナット４の上面の環状部４１を溝部１ｂ内に屈曲結合させるようにした。【選択図】  図３
2005016700.tif 000002
【特許請求の範囲】
【請求項１】
ナットをねじ部をもつ被締結物に螺合して締結した時に、ナットの被締結物に対する緩みを阻止するナットの締結方法であって、ナットの上面に上記被締結物のねじ部と同径又はやや大径で肉薄状の環状部を上方に向かって突設する一方、被締結物のねじ部側端部に半径方向に延びる溝部を設け、締結完了時に屈曲結合治具により上記環状部を被締結物の溝部に屈曲させて結合することを特徴とするナットの締結方法。
【請求項２】
屈曲結合治具は、被締結物の溝部に嵌合して屈曲締結させる方向性を定める機能を有する嵌合位置決め部と、該嵌合位置決め部の外側に設けられる屈曲結合爪とを備えており、締結完了時に上記嵌合位置決め部を被締結物の溝部に嵌合して屈曲結合治具を基準とした方向性をもって、上記屈曲結合爪にてナットの環状部を被締結物のねじ部側端部の溝部に屈曲させて結合することを特徴とする請求項１に記載のナットの結合方法。
【請求項３】
溝部は、被締結物のねじ部側端部に半径方向全長にわたってマイナス、又はプラス状に形成されており、ナットを被締結物から外す時、上記溝部に左右に開くプライヤーなどの治具にて屈曲した環状部を円形に戻してナットを被締結物から外すようにしたことを特徴とする請求項１又は請求項２に記載のナットの結合方法。
【請求項４】
ナットをねじ部をもつ被締結物に螺合して締結した時に、ナットの被締結物に対する緩みを阻止するナットの締結方法であって、ナットの上面に上記被締結物のねじ部と同径又はやや大径で肉薄状の環状部を上方に向かって突設する一方、被締結物のねじ部側先端部にねじ部の内径よりも小さい多角形状部と半径方向に延びる溝部とを設け、かつ、被締結物の溝部に嵌合して屈曲締結させる方向性を定める機能を有する嵌合位置決め部と、該嵌合位置決め部の外側に設けられる屈曲結合部とを備えた屈曲結合治具を用い、締結完了時に、上記嵌合位置決め部を被締結物の溝部に嵌合して屈曲結合治具を基準とした方向性をもって、上記屈曲結合部にてナットの環状部を被締結物の多角形状部外周に屈曲させて結合することを特徴とするナットの締結方法。
【発明の詳細な説明】
【０００１】
【発明の属する技術分野】
本発明は、ナットをねじ部をもつ被締結物に螺合して締結した時に、ナットの被締結物に対する緩みを阻止するナットの締結方法に関する。
【０００２】
【従来の技術】
従来、例えば自動車のハブを車軸に固定する場合、被締結物である車軸のねじ部における端部に軸方向に延びるキー溝を設け、締結完了時にナットの上面に設けた環状部を治具にて上記キー溝に屈曲結合させるようになされている。また、ナットを車軸から外すときは、タガネ状の先尖治具をキー溝と環状部における屈曲部との間に叩き込んで屈曲した環状部を円形にし、ナットを車軸に対し緩めて車軸から外すようにしている。
【０００３】
【発明が解決しようとする課題】
ところが、上記したナットの締結方法にあっては、締結完了時にナットの上面に設けた環状部を殴打治具にて上記キー溝に屈曲結合させる際、殴打治具のキー溝への打ち込み方向性を正確に合わせるのに熟練を要する問題があり、また、ナットを車軸から外すときは、上記したようにタガネ状の先尖治具をキー溝と環状部における屈曲部との間に叩き込んで屈曲した環状部を円形にして離脱する必要があるため、面倒で非効率な作業を行う必要があった。
【０００４】
そこで、本発明は、締結完了後にナットの上面に突設した環状部を被締結部に設けた溝部に正確かつ容易に屈曲結合させ、完全な緩み止めが得られるナットの締結方法を提供することにある。
【０００５】
【課題を解決するための手段】
上記課題を解決するため、本願の請求項１に記載の発明は、ナットをねじ部をもつ被締結物に螺合して締結した時に、ナットの被締結物に対する緩みを阻止するナットの締結方法として、ナットの上面に上記被締結物のねじ部と同径又はやや大径で肉薄状の環状部を上方に向かって突設する一方、被締結物のねじ部側端部に半径方向に延びる溝部を設け、締結完了時に屈曲結合治具により上記環状部を被締結物の溝部に屈曲させて結合するようにしたことを特徴とする。
なお、ナットの環状部が上記被締結物のねじ部と同径とは、環状部の内面に被締結物のねじ部に螺合するためのねじ部が形成されている場合も含む概念である。
【０００６】
また、本願の請求項２に記載の発明は、上記請求項１に記載の発明における屈曲結合治具が、被締結物の溝部に嵌合して屈曲締結させる方向性を定める機能を有する嵌合位置決め部と、該嵌合位置決め部の外側に設けられる屈曲結合爪とを備えており、締結完了時に上記嵌合位置決め部を被締結物の溝部に嵌合して屈曲結合治具を基準とした方向性をもって、上記屈曲結合爪にてナットの環状部を被締結物のねじ部側端部の溝部に屈曲させて結合するようにしたことを特徴とする。
【０００７】
また、本願の請求項３に記載の発明は、上記請求項１又は請求項２に記載の発明における溝部が、被締結物のねじ部側端部にその半径方向全長にわたってマイナス、又はプラス状に形成されており、ナットを被締結物から外す時、上記溝部に左右に開くプライヤーなどの治具にて屈曲した環状部を円形に戻してナットを被締結物から外すようにしたことを特徴とする。
【０００８】
さらに、本願の請求項４に記載の発明は、ナットをねじ部をもつ被締結物に螺合して締結した時に、ナットの被締結物に対する緩みを阻止するナットの締結方法として、ナットの上面に上記被締結物のねじ部と同径又はやや大径で肉薄状の環状部を上方に向かって突設する一方、被締結物のねじ部側端部にねじ部の内径よりも小さい多角形状部と半径方向に延びる溝部とを設け、かつ、被締結物の溝部に嵌合して屈曲締結させる方向性を定める機能を有する嵌合位置決め部と、該嵌合位置決め部の外側に設けられる屈曲結合部とを備えた屈曲結合治具を用い、締結完了時に、上記嵌合位置決め部を被締結物の溝部に嵌合して屈曲結合治具を基準とした方向性をもって、上記屈曲結合部にてナットの環状部を被締結物の多角形状部外周に屈曲させて結合するようにしたことを特徴とする。
【０００９】
【発明の実施の形態】
以下、本発明の実施の形態に係るナットの締結方法について説明する。
【００１０】
図１は、ナットをねじ部をもつ被締結物にトルクレンチにて所定のトルクで螺合して締結した時に、ナットの被締結物に対する緩みを阻止する状態を示す。
１はねじ部１ａを有する頭付のボルト体（被締結物）、２はボルト体１の貫通孔２ａを有する固定側部材、３はボルト体１の貫通孔３ａを有する取付部材３、４はボルト体１のねじ部１ａに螺合するねじ孔４ａを有するナット、５はナット４をボルト体１に所定のトルクで螺合して締結するトルクレンチ、６はトルクレンチ５よる締結完了時に、ナット４とボルト体１との緩みを阻止するための屈曲結合治具である。
【００１１】
ボルト体１には、図１及び図２示すようにそのねじ部１ｂ側端部に半径方向全長にわたって延びるプラス状の溝部１ｂが形成されている。また、ナット４の上面には上方に向かって突出し、かつ内面にナット４のねじ部４ａに連続するねじ部４ｂを有する肉薄状の環状部４１が上方に向かって設けられている。
【００１２】
屈曲結合治具６は、筒状の治具本体６１と、治具本体６１の先端部６１ａに開閉可能に設けられ、基部に回転歯６２ａを備えた一対の屈曲結合爪６２，６２と、治具本体６１内を移動な軸部６３ａとその先端に断面プラス状の位置決め嵌合部６３ｂと上記回転歯６２ａ，６２ａに螺合するラック歯６３ｃとを有する移動杆６３とを備えている。そして、屈曲結合治具６はトルクレンチ５よる所定トルクでの締結完了時に、トルクレンチ５側からの締結完了信号をもらって図１に示すセット位置にシリンダなどの適宜駆動手段（図示せず）により自動的に移動されると共に、そのセット位置に位置したとき、移動杆６３が治具本体６１に対して図３に示すように上方向へ摺動するようになされている。この移動杆６３の摺動によりラック歯６３ｃを介して回転歯６２ａ，６２ａが回転し、図３及び図４に示すように屈曲結合爪６２，６２が閉方向に揺動して上記環状部４１をボルト体１の溝部１ｂ内に入り込ませて屈曲結合する。その屈曲結合後、移動杆６３は上記駆動手段（図示せず）により治具本体６１に対して上方へ摺動され、屈曲結合爪６２，６２が開方向に揺動して環状部４１を開放するようになされている。
【００１３】
次に、本実施の形態の作用について説明する。
【００１４】
まず、図１に示すようにボルト体１の軸部に固定側部材２及び取付部材３を挿通し、その後、ナット４をボルト体１に螺合する。その場合、トルクレンチ５によりナット４をボルト体１に所定のトルクで螺合して締結する。
【００１５】
そして、トルクレンチ５よる所定トルクでの締結完了した時、トルクレンチ５側からの締結完了信号をもらって屈曲結合治具６は駆動手段（図示せず）によりボルト体１に対して図１及び図２に示すように自動的に移動され、この移動により移動杆６３の嵌合位置決め部６３ｂがボルト体１の溝部１ｂの中央部に嵌合され、かつ屈曲結合爪６２，６２が環状部４１の外側でプラス状の溝部１ｂに対向する状態となるようにセットされる。そのセット終了後、屈曲結合治具６の移動杆６３が治具本体６１に対して上方へ摺動され、これによりラック歯６３ｃが回転歯６２ａ，６２ａを回転させて屈曲結合爪６２，６２を閉方向に揺動させる。この揺動により図３及び図４に示すように屈曲結合爪６２，６２がナット４の環状部４１をボルト体１の溝部１ｂの両端側部から内方に入り込ませて屈曲結合させることになる。その屈曲結合後、移動杆６３は治具本体６１に対して下方へ摺動し、屈曲結合爪６２，６２が開方向に揺動して環状部４１を開放し、緩み止め動作が終了することになる。
【００１６】
以上のように、ボルト体１のねじ部１ａ側端部に形成したプラス状の溝１ｂに屈曲結合治具６の位置決め嵌合部６３ｂを嵌合させ、その上で屈曲結合爪６２，６２にて環状部４１をボルト体１の溝部１ｂに屈曲結合させるようにしたから、上記治具６を基準とした方向性をもって、ナット４の上面の環状部４１を上記溝部１ｂ内に正確かつ容易に屈曲結合させることができ、完全な緩み止めが得られる。
【００１７】
また、ナット４をボルト体１から取り外すときには、溝部１ｂ内に閉状態から開放することのできるプライヤーなどの治具（図示せず）にて、屈曲した環状部４１を簡単かつ迅速に円形に戻してナット４をボルト体１から取り外すことができる。
【００１８】
また、別の実施の形態として、例えば、図５、図６に示すように、環状部４１は、その内面にねじ部４ｂを形成することなく、単にリング状に形成してもよい。この場合にも、上述した場合と同様の作用効果が得られる。
【００１９】
さらに、別の実施の形態として、図示ししていないが、ナットの上面に被締結物のねじ部と同径又はやや大径の肉薄状の環状部を上方に向かって突設する一方、被締結物のねじ部側端部にねじ部の内径よりも小さい例えば四角形や６角形などの多角形状部と半径方向に延びる溝部とを設け、かつ、被締結物の溝部に嵌合して屈曲締結させる方向性を定める機能を有する嵌合位置決め部と、該嵌合位置決め部の外側に設けられる屈曲結合部とを備えた屈曲結合治具を用い、締結完了時に、上記嵌合位置決め部を被締結物の溝部に嵌合して屈曲結合治具を基準とした方向性をもって、上記屈曲結合部にてナットの環状部を被締結物の多角形状部の外周に屈曲させて結合するようにしてもよい。
【００２０】
この場合にも、上記溝部を利用して屈曲結合治具を位置決めさせ、この治具を基準とした方向性をもって、ナットの上面の環状部を上記多角形状部の外周に正確かつ容易に屈曲結合させることが可能となり、完全な緩み止めが得られる。また、ナットをボルト体から取り外すときにも、上記溝部内に閉状態から開放することのできるプライヤーなどの治具を用いることにより、屈曲した環状部を簡単かつ迅速に円形に戻してナット体をボルト体から取り外すことが可能となる。
【００２１】
なお、上記した溝部はプラス状に限定されるものではなく、マイナス状やその他の形状であってもよいことは勿論である。
【００２２】
【発明の効果】
以上のように本発明のナット締結方法によれば、ナットの上面に被締結物のねじ部と同径又はやや大径で肉薄状の環状部を上方に向かって突設する一方、被締結物のねじ部側端部に半径方向に延びる溝部を設け、締結完了時に屈曲結合治具により上記環状部を被締結物の溝部に屈曲させて結合するようにしたから、上記溝部を利用して屈曲結合治具を位置決めさせ、この治具を基準とした方向性をもって、ナットの上面の環状部を上記溝部内に正確かつ容易に屈曲結合させることが可能となり、完全な緩み止めが得られる。また、ナットをボルト体から取り外すときには、上記溝部内に閉状態から開放することのできるプライヤーなどの治具を用いることにより、屈曲した環状部を簡単かつ迅速に円形に戻してナット体をボルト体から取り外すことが可能となる。
【００２３】
また、ナットの上面に被締結物のねじ部と同径又はやや大径で肉薄状の環状部を上方に向かって突設する一方、被締結物のねじ部側端部にねじ部の内径よりも小さい多角形状部と半径方向に延びる溝部とを設け、かつ、被締結物の溝部に嵌合して屈曲締結させる方向性を定める機能を有する嵌合位置決め部と、該嵌合位置決め部の外側に設けられる屈曲結合部とを備えた屈曲結合治具を用い、締結完了時に、上記嵌合位置決め部を被締結物の溝部に嵌合して屈曲結合治具を基準とした方向性をもって、上記屈曲結合部にてナットの環状部を被締結物の多角形状部外周に屈曲させて結合するようにした場合にも、上記溝部を利用して屈曲結合治具を位置決めさせ、この治具を基準とした方向性をもって、ナットの上面の環状部を上記多角形状部外周に正確かつ容易に屈曲結合させることが可能となり、完全な緩み止めが得られる。また、ナットをボルト体から取り外すときにも、上記溝部内に閉状態から開放することのできるプライヤーなどの治具を用いることにより、屈曲した環状部を簡単かつ迅速に円形に戻してナット体をボルト体から取り外すことが可能となる。
【図面の簡単な説明】
【図１】本発明のナットの締結方法を説明する縦断側面図である。
【図２】図１のＡ−Ａ線拡大断面図である。
【図３】屈曲結合動作を示す縦断側面図である。
【図４】図３のＢ−Ｂ線拡大断面図である。
【図５】別の実施の形態を示す縦断側面図である。
【図６】図５のＣ−Ｃ線拡大断面図である。
【符号の説明】
１        ボルト体（被締結物）
１ｂ      溝部
４        ナット
６        屈曲結合治具
４１      環状部
６２      屈曲結合爪
６３ｂ    嵌合位置決め部
【図１】
2005016700.tif 000003
【図２】
2005016700.tif 000004
【図３】
2005016700.tif 000005
【図４】
2005016700.tif 000006
【図５】
2005016700.tif 000007
【図６】
2005016700.tif 000008